(57)【要約】【課題】取付部が形成されていない模型体でも支持することができ、また模型体に差込穴等の取付部を形成することを必要としないので、模型体の外観及び機能を阻害することがなく、さらに支持部材を折り曲げて模型体の向きを任意の方向に変えることができる模型用スタンド及び模型用スタンドの支持方法を提供する。【解決手段】模型用スタンド１は、基台２と支持部材１１とからなり、支持部材１１は、可塑性素材によって形成され、一端１３が基台２に固定され、他端１５側が模型体２０に巻き付けて模型体２０を支持するようになっている。なお、支持部材１１は、軟質合成樹脂によって被覆されている。模型用スタンド１の支持方法は、基台２と支持部材１１とからなり、支持部材１１は、可塑性素材によって形成され、一端１３が基台２に固定された模型用スタンド１であって、支持部材１１の他端１５側を模型体２０に巻き付けて模型体２０を支持する。【選択図】        図１
2004181138.tif 000002
【特許請求の範囲】
【請求項１】
基台と支持部材とからなり、支持部材は、可塑性素材によって形成され、一端が基台に固定され、他端側が模型体に巻き付けられて模型体を支持するようになっていることを特徴とする模型用スタンド。
【請求項２】
支持部材は、軟質合成樹脂によって被覆されていることを特徴とする請求項１記載の模型用スタンド。
【請求項３】
基台と支持部材とからなり、支持部材は、可塑性素材によって形成され、一端が基台に固定された模型用スタンドであって、支持部材の他端側を模型体に巻き付けて模型体を支持することを特徴とする模型用スタンドの支持方法。
【発明の詳細な説明】
【０００１】
【発明の属する技術分野】
本願発明は、模型飛行機、模型自動車、人形模型等の模型体を支持する模型用スタンド及び模型用スタンドの支持方法に関する。
【０００２】
【従来の技術】
従来の模型用スタンドは、基台と、硬質樹脂素材によって形成された支持部材とからなり、支持部材は、下端が基台に固定され、上端を模型体に形成した取付部に取り付けて、模型体を支持していた（例えば、特許文献１）。
【０００３】
【特許文献１】
実用新案登録第３０７８１４１号公報
【０００４】
【発明が解決しようとする課題】
上記従来の模型用スタンドは、模型体に取付部が形成されていないと、模型体を支持することができない問題点があった。従って、いわゆるプラモデル等の模型体は、取付部が形成されていないので、従来の模型用スタンドでは支持することができないという問題点があった。また、模型体に形成される取付部は、模型体の外観及び機能を著しく阻害するものであるという問題点があった。さらにまた、支持部材は、一定であり形態を変えることができないので、これによって支持される模型体の向きも常に一定であり、模型体の向きを調節することができないという問題点があった。
【０００５】
本願発明は、上記問題点に鑑み発明されたものであって、取付部が形成されていない模型体でも支持することができ、また模型体に差込穴等の取付部を形成することを必要としないので、模型体の外観及び機能を阻害することがなく、さらに支持部材を折り曲げて模型体の向きを任意の方向に変えることができる模型用スタンド及び模型用スタンドの支持方法を提供することを目的とする。
【０００６】
【課題を解決するための手段】
本願請求項１記載の模型用スタンドは、上記目的を達成するため、基台と支持部材とからなり、支持部材は、可塑性素材によって形成され、一端が基台に固定され、他端側が模型体に巻き付けられて模型体を支持するようになっている。請求項２記載の模型用スタンドは、支持部材は、軟質合成樹脂によって被覆されている。
【０００７】
本願請求項３記載の模型用スタンドの支持方法は、上記目的を達成するため、基台と支持部材とからなり、支持部材は、可塑性素材によって形成され、一端が基台に固定された模型用スタンドであって、支持部材の他端側を模型体に巻き付けて模型体を支持する。
【０００８】
【発明の実施の形態】
本願発明に係る模型用スタンドの実施の形態を、図１、図２に基づいて説明する。図１は、本願発明に係る模型用スタンドの一つの実施の形態を示す全体斜視図である。図２は、図１の模型用スタンドの使用形態を示す側面図である。
【０００９】
模型用スタンド１は、基台２と支持部材１１とからなり、支持部材１１は、可塑性素材によって形成され、一端１３が基台２に固定され、他端１５側が模型体２０に巻き付けられて模型体２０を支持するようになっている。なお、支持部材１１は、軟質合成樹脂によって被覆されている。
【００１０】
模型用スタンド１の支持方法は、基台２と支持部材１１とからなり、支持部材１１は、可塑性素材によって形成され、一端１３が基台２に固定された模型用スタンド１であって、支持部材１１の他端１５側を模型体２０に巻き付けて模型体２０を支持する。
【００１１】
基台２は、合成樹脂によって、略くの字形状に形成され、先部に嵌着孔３が形成されている。支持部材１１は、針金等の金属線１６（可塑性素材）によって形成されている。この金属線１６は、軟質合成樹脂によって形成された細管１２に挿通されている。支持部材１１は、一端１３が、基台２に形成された嵌着孔３に嵌着固定されている。
【００１２】
支持部材１１は、他端１５側を飛行機形状の模型体２０に巻き付けて模型体２０を支持するようになっている。支持部材１１は、前記したように、可塑性素材である金属線１６によって形成され、自由に折り曲げたり巻き付けたりすることができ、しかもその状態を維持することができるので、模型体２０の任意の場所、例えば胴部２１に他端１５側を巻き付けて、模型体２０を支持することができる。なお、胴部２１ではなく、主翼２２に巻き付けても構わないのは、勿論である。
【００１３】
また、支持部材１１に支持された模型体２０は、支持部材１１の中間部１７を任意の方向に折り曲げて、模型体２０の向きを自由に変えることができ、模型用スタンド１の飾る場所に対応させることができる。支持部材１１は、軟質合成樹脂によって形成された細管１２に被覆されているので、模型体２０に支持部材１１を巻き付けても、模型体２０を傷付けることがない。
【００１４】
上記実施の形態では、基台２が、合成樹脂によって、略くの字形状に形成されているが、その形状に特定されるものではなく、円板状、矩形状であっても構わないのは勿論である。また、支持部材１１は、一端１３が、基台２の嵌着孔３に嵌着されて固定されているが、このような固定に限定されるものではなく、インサート成形、接着、巻き付け等、種々変更することができる。
【００１５】
さらにまた、支持部材１１は、軟質合成樹脂によって形成された細管１２によって被覆されているが、ビニールテープ等によって被覆されても構わない。また、模型体２０は、本実施の形態では飛行機形状に形成されているが、飛行機形状に限定されるものではなく、自動車形状、電車形状、ピストル形状、人形体形状等であっても構わないのは勿論である。
【００１６】
さらに、図２に示すように、機種の異なる飛行機形状の模型体２０，２０を並べて支持し、戦闘風景等を表現することもできる。また、基台２の裏面に磁石を取り付け、冷蔵庫のドア等に基台２を吸着させたり、基台２の裏面にクリップを取り付け、本棚等にクリップで基台２を取り付けるようにしても構わないのは勿論である。また一つの基台２に複数の支持部材１１・・を固定し、模型体２０を並べて支持するようにしても構わない。
【００１７】
【発明の効果】
以上説明してきたように、本願請求項１に係る模型用スタンドは、基台と支持部材とからなり、支持部材は、可塑性素材によって形成され、一端が基台に固定され、他端側が模型体に巻き付けられて模型体を支持するようになっているので、支持部材に取り付けられる取付部が形成されていない模型体でも支持することができ、そのため、模型体の任意の位置で支持することができるという効果がある。従って、どのような形態の模型体でも支持することができるという効果がある。又、模型体には、上記したように取付部を形成する必要がないので、外観及び機能を損なうことがないという効果がある。さらにまた、支持部材は、折り曲げることができるので、模型体の向きを自由に変えることができるという効果がある。
【００１８】
本願請求項２に係る模型用スタンドは、上記効果に加え、支持部材が、軟質合成樹脂によって被覆されているので、支持部材を巻き付けても模型体を傷つけることなく支持することができるという効果がある。
【００１９】
本願請求項３に係る模型用スタンドの支持方法は、基台と支持部材とからなり、支持部材は、可塑性素材によって形成され、一端が基台に固定された模型用スタンドであって、支持部材の他端側を模型体に巻き付けて模型体を支持するので、支持部材に取り付けられる取付部が形成されていない模型体でも支持することができ、そのため、模型体の任意の位置で支持することができるという効果がある。従って、どのような形態の模型体でも支持することができるという効果がある。又、模型体には、上記したように取付部を形成する必要がないので、外観及び機能を損なうことがないという効果がある。さらにまた、支持部材は、折り曲げることができるので、模型体の向きを自由に変えることができるという効果がある。
【図面の簡単な説明】
【図１】本願発明に係る模型用スタンドの一つの実施の形態を示す全体斜視図である。
【図２】図１の模型用スタンドの使用形態を示す側面図である。
【符号の説明】
１  模型用スタンド
２  基台
３  嵌着孔
１１  支持部材
１２  細管
１３  一端
１５  他端
１６  金属線
１７  中間部
２０  模型体
２１  胴部
２２  主翼
【図１】
2004181138.tif 000003
【図２】
2004181138.tif 000004